(57)【要約】【課題】本発明は、アルミニウム合金からなる筒状体の少なくとも一端に鋼鉄を鋳込んで筐体の剛性を向上させることである。【解決手段】本発明によるレゾルバ収容用筐体構造は、アルミニウム合金からなる筒状体(1)の少なくとも一端に鋳込まれた鋼鉄リングと、前記筒状体(1)の内面に設けられた一対の保持部(5,9)と、よりなり、前記各保持部(5,9)でレゾルバ(7)の輪状ステータ(8)を保持すると共に、筒状体(1)の剛性を向上させる構成である。【選択図】図１
2015055586.tif 000002
【特許請求の範囲】
【請求項１】
アルミニウム合金からなる筒状体(1)の少なくとも一端に鋳込まれた鋼鉄リング(4)と、前記筒状体(1)の内面(1a)に一体に形成され前記内面(1a)から内方に突出する第１保持部(5)と、前記筒状体(1)の内面(1a)に設けられ前記第１保持部(5)とは異なる位置に固定され前記筒状体(1)とは別体の第２保持部(9)と、よりなり、
前記筒状体(1)内に配設されるレゾルバ(7)の輪状ステータ(8)は、前記第１保持部(5)及び第２保持部(9)によって保持されていることを特徴とするレゾルバ収容用筐体構造。
【請求項２】
前記鋼鉄リング(4)の端部(4a)は、前記筒状体(1)の第１筒状端部(2)から軸方向(A)に沿って外方へ突出している構成よりなることを特徴とする請求項１記載のレゾルバ収容用筐体構造。
【請求項３】
前記筒状体(1)の肉厚は、前記鋼鉄リング(4)が内設された前記第１筒状端部(2)から前記鋼鉄リング(4)が内設されていない第２筒状端部(3)に向けて薄く、又は厚く、又は同一となるように構成されていることを特徴とする請求項１又は２記載のレゾルバ収容用筐体構造。
【発明の詳細な説明】
【技術分野】
【０００１】
本発明は、レゾルバ収容用筐体構造に関し、特に、アルミニウム合金からなる筒状体の一端側に鋼鉄リングを鋳込んで筐体を形成するための新規な改良に関する。
【背景技術】
【０００２】
従来、用いられていたこの種のレゾルバとしては、例えば、特許文献１及び特許文献２の構成を挙げることができるが、これらのレゾルバを筐体へ収容する構造としては、図示していないが、レゾルバ単体をレゾルバを収容する筐体に装着する第１従来構造、複数のねじを使用してレゾルバを締結固定する第２従来構造、接着剤を用いて固定する第３従来構造、レゾルバを収容する筐体へ締まり嵌めする第４従来構造が一般に用いられている。
また、レゾルバを収容する前述の筐体は、モータやラック軸等の筐体の場合と、別体である場合があり、別体である場合、レゾルバがレゾルバ自体を収容するための筐体へ固定された組立品（サブアッセンブリー）となり、この組立品がモータやラック軸等の筐体へ組み付けられている。
【先行技術文献】
【特許文献】
【０００３】
【特許文献１】特開２００２−１７１７３７号公報
【特許文献２】特開２０１０−１２２１５９号公報
【発明の概要】
【発明が解決しようとする課題】
【０００４】
従来のレゾルバ収容用筐体構造は、以上のように構成されていたため、次のような課題が存在していた。
すなわち、モータやラック軸等の筐体は、一般的にアルミニウム合金が素材として用いられており、レゾルバを収容する筐体もアルミニウム合金素材を用いることが多い。
また、レゾルバを収容した筐体を装置等からなる相手方に位置決めするためには、周知のキー、端面、円筒体等の位置決め手段を複数設ける場合があるが、アルミニウム合金の素材のみでは強度が不足して破損する場合がある。
また、前述の筐体の破損対策として、筐体の位置決め部分に鋼鉄等の剛性素材を用い、この剛性素材を部分的にインサート樹脂成形するような提案もなされているが、筐体の大部分を樹脂成形で構成することになるため、樹脂の強度が不足する場合や分割構造とならざるを得ない場合等により、好ましい構造ではなかった。
【０００５】
本発明は、以上のような課題を解決するためになされたもので、特に、アルミニウム合金からなる筒状体の一端側に鋼鉄リングを鋳込んで筐体を形成することを目的とする。
【課題を解決するための手段】
【０００６】
本発明によるレゾルバ収容用筐体構造は、アルミニウム合金からなる筒状体の少なくとも一端に鋳込まれた鋼鉄リングと、前記筒状体の内面に一体に形成され前記内面から内方に突出する第１保持部と、前記筒状体の内面に設けられ前記第１保持部とは異なる位置に固定され前記筒状体とは別体の第２保持部と、よりなり、前記筒状体内に配設されるレゾルバの輪状ステータは、前記第１保持部及び第２保持部によって保持されている構成であり、また、前記鋼鉄リングの端部は、前記筒状体の第１筒状端部から軸方向に沿って外方へ突出している構成であり、また、前記筒状体の肉厚は、前記鋼鉄リングが内設された前記第１筒状端部から前記鋼鉄リングが内設されていない第２筒状端部に向けて薄く、又は厚く、又は同一となるようにした構成である。
【発明の効果】
【０００７】
本発明によるレゾルバ収容用筐体構造は、以上のように構成されているため、次のような効果を得ることができる。
すなわち、アルミニウム合金からなる筒状体の少なくとも一端に鋳込まれた鋼鉄リングと、前記筒状体の内面に一体に形成され前記内面から内方に突出する第１保持部と、前記筒状体の内面に設けられ前記第１保持部とは異なる位置に固定され前記筒状体とは別体の第２保持部と、よりなり、前記筒状体内に配設されるレゾルバの輪状ステータは、前記第１保持部及び第２保持部によって保持されていることにより、筒状体の一端に設けられた高い剛性の鋼鉄リングにより、筒状体の剛性が向上し、筐体の破損を防ぐことができる。
また、鋼鉄リングを用いて装置等に取付けることができ、装置等に対して強固な装着を実現できる。
また、前記鋼鉄リングの端部は、前記筒状体の第１筒状端部から軸方向に沿って外方へ突出している構成よりなることにより、この突出部分を用いて装置等への取付けを容易化できる。
また、前記筒状体の肉厚は、前記鋼鉄リングが内設された前記第１筒状端部から前記鋼鉄リングが内設されていない第２筒状端部に向けて薄く、又は厚く、又は同一となるように構成されていることにより、剛性の確保と全体の軽量化とのバランスを選択することができる。
【図面の簡単な説明】
【０００８】
【図１】本発明によるレゾルバ収容用筐体構造を示す断面図である。
【発明を実施するための形態】
【０００９】
本発明によるレゾルバ収容用筐体構造は、アルミニウム合金からなる筒状体の一端側に鋼鉄リングを鋳込んで筐体を形成することである。
【実施例】
【００１０】
以下、図面と共に本発明によるレゾルバ収容用筐体構造の好適な実施の形態について説明する。
図１において符号１で示されるものは、アルミニウム合金よりなると共に全体形状が円筒状をなす筒状体であり、この筒状体１は、その一端の第１筒状端部２からその他端の第２筒状端部３へ向けてその断面の肉厚が薄くなるように内面にテーパ部４が形成されている。
すなわち、前記第１筒状端部２の第１肉厚ｔ１は、前記第２筒状端部３の第２肉厚ｔ２よりも大となるように構成されている。また、この肉厚ｔ１とｔ２については、ｔ１＞ｔ２に限らず、ｔ１＜ｔ２として徐々に厚くし、又は、ｔ１＝ｔ２として第１筒状端部２から第２筒状端部３にかけて同一肉厚とすることもできる。従って、肉厚の構成を選択することにより、剛性と軽量化のバランスを選択することができる。
【００１１】
前記筒状体１の第１筒状端部２側には、全体形状がリング型をなし鋼鉄で形成された鋼鉄リング４が、この筒状体１を鋳型(図示せず)で鋳造する時に、同時に鋳込むことによって前記第１筒状端部２側に周知の樹脂のインサート成形と同様に一体成形され、その端部４ａが軸方向Ａに沿って外方に突出している。
従って、図１の断面で示されるように、前記第１筒状端部２の第１肉厚ｔ１の中に軸方向Ａに沿って挿入された状態で成形されている。尚、図１では筒状体１の少なくとも一端側に鋼鉄リング４が鋳込まれているが、筒状体１の全長にわたり鋼鉄リング４を鋳込むこともできる。
【００１２】
前記筒状体１の内面１ａには、この内面１ａと一体で内方に向けて突出する第１保持部５が形成され、この第１保持部５は、断面でＬ字型をなす第１段部６が形成され、この第１段部６には周知のレゾルバ７の輪状ステータ８の外周８ａが係合するように構成されている。
前記第１保持部５は、図１の断面では突出している形状のみしか示されていないが、実際には、平面でみると半円状等で形成されている。
【００１３】
前記筒状体１の内面１ａにおける前記第１保持部５とは異なる位置、すなわち、前記第１保持部５とほぼ対向する位置には、前記筒状体１を形成するアルミニウム合金と同一材料又はアルミニウム合金とは異なる金属材料が樹脂材料からなる第２保持部９が接着もしくはねじ等で取付けられており、前記第２保持部９に形成された第２段部１０には前記輪状ステータ８の外周８ａが係合している。
【００１４】
前記レゾルバ７の突出磁極８ｂに巻回されたステータ巻線１１に接続されたリード線１１は、軸方向Ａに沿って外方に導出されている。
図１に示されるレゾルバ収容用筐体構造２０における前記筒状体１は、前記鋼鉄リング４によりその剛性が大幅に向上していることにより、レゾルバ７を収容した筒状体１を用いて、図示しない装置等へ装着した場合においても、筒状体１の損傷等を防止することができる。
【産業上の利用可能性】
【００１５】
本発明によるレゾルバ収容用筐体構造は、鋼鉄リングを鋳込んだアルミニウム合金製の筒状体を用いているため、剛性が向上し、筒状体の損傷や破損を防止し、レゾルバの使用上の信頼性を向上させることができる。
【符号の説明】
【００１６】
１    筒状体
１ａ    内面
２    第１筒状端部
３    第２筒状端部
４    鋼鉄リング
５    第１保持部
６    第１段部
７    レゾルバ
８    輪状ステータ
８ａ    外周
９    第２保持部
１０    第２段部
２０    レゾルバ収容用筐体構造
Ａ    軸方向
ｔ１    第１肉厚
ｔ２    第２肉厚
【図１】
2015055586.tif 000003